(57)【要約】【課題】ユーザ利便性を向上させたコンテンツ表示装置を提供する。【解決手段】本発明に係るコンテンツ再生装置１００は、複数のフォルダの各々に格納された少なくとも１つのファイルを画面上に表示する画面構成部１５を備えている。画面構成部１５は、複数のフォルダのうち、規定の一定数以下のフォルダを、コンテンツ表示画面２０１における任意の第１方向に並べて表示する。また、画面構成部１５は、表示された上記フォルダ毎に、当該フォルダに格納された１つ以上のファイルのうち、規定の一定数以下のファイルを、コンテンツ表示画面２０１における第２方向に並べて表示する。【選択図】図１
2011138381.tif 000002
【特許請求の範囲】
【請求項１】
複数のフォルダの各々に格納された少なくとも１つのファイルを画面上に表示するファイル表示装置であって、
上記複数のフォルダのうち、規定の一定数以下のフォルダを、上記画面における任意の第１方向に並べて表示するフォルダ表示手段と、
表示された上記フォルダ毎に、当該フォルダに格納された１つ以上のファイルのうち、規定の一定数以下のファイルを、上記画面上における上記第１方向に直交する第２方向に並べて表示するファイル表示手段とを、備えることを特徴とするファイル表示装置。
【請求項２】
上記フォルダ表示手段は、上記規定の一定数以下のフォルダを、各フォルダの階層に関わらず、上記第１方向に同列に並べて表示することを特徴とする請求項１に記載のファイル表示装置。
【請求項３】
上記複数のフォルダのうち、上記少なくとも１つのファイルを直下の階層に格納する複数のフォルダを特定する特定手段をさらに備え、
上記フォルダ表示手段は、特定された上記複数のフォルダのうち、規定の一定数以下のフォルダを、上記第１方向に並べて表示し、
上記ファイル表示手段は、表示された上記フォルダ毎に、当該フォルダの直下に格納された１つ以上のファイルのうち、規定の一定数以下のファイルを、上記第２方向に並べて表示することを特徴とする請求項１または２に記載のファイル表示装置。
【請求項４】
上記特定手段は、上記複数のフォルダのうち、特定のカテゴリに属する、少なくとも１つのファイルを直下の階層に格納するフォルダを特定することを特徴とする請求項３に記載のファイル表示装置。
【請求項５】
上記画面上の特定位置に表示されたファイルを選択する選択手段と、
上記画面において、表示された上記フォルダおよび上記ファイルを上記第１方向に、または、表示された上記ファイルを上記第２方向に移動する移動手段と、を備えることを特徴とする請求項１から４のいずれか１項に記載のファイル表示装置。
【請求項６】
上記移動手段が上記フォルダおよび上記ファイルを上記第１方向に移動する際、当該移動の直前に上記選択手段により選択されていたファイルを記憶し、当該移動の後においても記憶し続けている記憶手段をさらに備えることを特徴とする請求項５に記載のファイル表示装置。
【請求項７】
複数のフォルダの各々に格納された少なくとも１つのファイルを画面上に表示するファイル表示装置のファイル表示方法であって、
上記複数のフォルダのうち、規定の一定数以下のフォルダを、上記画面における任意の第１方向に並べて表示するフォルダ表示工程と、
表示された上記フォルダ毎に、当該フォルダに格納された１つ以上のファイルのうち、規定の一定数以下のファイルを、上記画面上における上記第１方向に直交する第２方向に並べて表示するファイル表示工程とを、含むことを特徴とするファイル表示方法。
【請求項８】
請求項１から６のいずれか１項に記載のファイル表示装置としてコンピュータを機能させるためのファイル表示プログラムであって、コンピュータを上記各手段として機能させるためのファイル表示プログラム。
【請求項９】
請求項８に記載のファイル表示プログラムを記録したコンピュータ読み取り可能な記録媒体。
【発明の詳細な説明】
【技術分野】
【０００１】
本発明は、ファイル表示装置、ファイル表示方法、ファイル表示プログラムおよびそれを記録したコンピュータ読み取り可能な記録媒体に関する。
【背景技術】
【０００２】
近年、ＰＣ（パーソナルコンピュータ）やデジタルテレビ等のデジタル家電において、ＴＶ番組や写真、録画情報、音楽情報などといった各種カテゴリのコンテンツを、大量に保持することが可能となってきた。このような多数のコンテンツを効率よく管理するために、これらのコンテンツはフォルダ等で階層に分けて管理されていることが多い。
【０００３】
このような状況において、利用者から見て使い勝手のよいコンテンツ表示方法求められている。
【０００４】
例えば、特許文献１には、再生できるメディアの種類を示した複数の機能アイコンからなる第１配列と、再生できるコンテンツの項目を示した複数のコンテンツアイコンからなる第２配列とを、メニュー画面の略中央において交差させる形で表示する方法が開示されている。特許文献１では、コンテンツが階層構造にて保持されている場合に、視覚的に階層表現した形でコンテンツアイコンを第２配列内で展開している。
【先行技術文献】
【特許文献】
【０００５】
【特許文献１】特開平２００６−４２９２号公報（２００６年１月５日公開）
【発明の概要】
【発明が解決しようとする課題】
【０００６】
しかしながら、特許文献１を含めた従来のファイル表示方法には、以下のような問題が存在する。
【０００７】
すなわち、従来のファイル表示方法では、フォルダが階層構造を構成している場合、ユーザがあるフォルダを選択して展開操作を行うことによって、当該フォルダが格納する下層フォルダが表示される。このため、ユーザは目的のファイルを見つけるまで、フォルダの展開操作を繰り返す必要がある。特にフォルダ階層構造が深い場合には、目的のファイルに辿り着くまでに、多くのフォルダ展開操作を繰り返さなければならない。また、階層が分岐している場合には、１つの分岐層の最下位層まで展開しても目的のファイルを見つけられないとき、一旦、上の階層に戻る操作を行った後、他の分岐層において再び展開操作を行う必要がある。
【０００８】
本発明は、上記の問題点に鑑みてなされたものであり、その目的は、ユーザの利便性を高めたファイル表示装置、ファイル表示方法、ファイル表示プログラムおよびそれを記録したコンピュータ読み取り可能な記録媒体を実現することにある。
【課題を解決するための手段】
【０００９】
本発明に係るファイル表示装置は、上記の課題を解決するために、複数のフォルダの各々に格納された少なくとも１つのファイルを画面上に表示するファイル表示装置であって、上記複数のフォルダのうち、規定の一定数以下のフォルダを、上記画面における任意の第１方向に並べて表示するフォルダ表示手段と、表示された上記フォルダ毎に、当該フォルダに格納された１つ以上のファイルのうち、規定の一定数以下のファイルを、上記画面上における上記２方向に直交する第２方向に並べて表示するファイル表示手段とを、備えることを特徴としている。
【００１０】
上記構成によれば、画面上の直交する２つの方向のうち、第１方向に沿って複数のフォルダが一覧表示され、第２方向に沿って各フォルダが格納する１つ以上のファイルが表示される。すなわち、互いに異なるフォルダに格納される１つ以上のファイルが、１つの画面で同時に表示される。これによって、ユーザは、目的のファイルがあるフォルダまでフォルダの展開作業を繰り返すといった手間を省略することができる。また、ユーザは、画面上に複数のフォルダと当該フォルダの格納する１つ以上のファイルを確認することができるため、フォルダ階層構造を知っていなくとも、目的のフォルダまたはファイルを見つけることが容易になる。また、ユーザは誤操作または誤認識によって、目的以外のフォルダを選択してしまった場合でも、目的のフォルダに選択を切り替えることが容易にできる。
【００１１】
また上記構成では、画面の表示されるフォルダおよびファイルの数は、それぞれ規定の一定数以下である。このため、画面上のフォルダおよびファイルは、第１方向および第２方向に列を形成するように並べられている。これによって、ユーザの視認性は向上する。また、ユーザは、カーソル等を２軸方向に移動させる簡易な操作によって、ファイルを選択することができる。このため、例えばテレビ等の限られたユーザインターフェースを利用する場合であってもユーザの利便性が向上する。
【００１２】
また、本発明に係るファイル表示装置は、上記フォルダ表示手段は、上記規定の一定数以下のフォルダを、各フォルダの階層に関わらず、上記第１方向に同列に並べて表示することが好ましい。
【００１３】
上記構成によれば、フォルダ階層に関わらず、複数のフォルダおよび各フォルダが格納する１つ以上のファイルが、画面上に一次元的に表示される。このため、目的のフォルダが深い階層にある場合でも、ユーザは、画面上の第１方向を確認することによって、目的のフォルダを容易に見つけることができる。
【００１４】
また、本発明に係るファイル表示装置は、上記複数のフォルダのうち、上記少なくとも１つのファイルを直下の階層に格納する複数のフォルダを特定する特定手段をさらに備え、上記フォルダ表示手段は、特定された上記複数のフォルダのうち、規定の一定数以下のフォルダを、上記第１方向に並べて表示し、上記ファイル表示手段は、表示された上記フォルダ毎に、当該フォルダの直下に格納された１つ以上のファイルのうち、規定の一定数以下のファイルを、上記第２方向に並べて表示することが好ましい。
【００１５】
上記構成によれば、ファイルを直下に格納するファイルのみが特定されるため、画面に表示されるべきフォルダの数を絞ることができる。これによって、ユーザは目的のフォルダまたはファイルをより容易に見つけることができる。
【００１６】
また、本発明に係るファイル表示装置において、上記特定手段は、上記複数のフォルダのうち、特定のカテゴリに属する、少なくとも１つのファイルを直下の階層に格納するフォルダを特定することが好ましい。
【００１７】
上記構成によれば、画面には、特定されたフォルダ毎に、当該フォルダに格納された所望のカテゴリに属するファイルが表示される。これによって、ユーザは、所望のカテゴリに属するファイルを容易に閲覧することができる。
【００１８】
また、本発明に係るファイル表示装置は、上記画面において、表示された上記フォルダおよび上記ファイルを上記第１方向に、または、表示された上記ファイルを上記第２方向に移動する移動手段と、上記画面上の特定位置に表示されたファイルを選択する選択手段とを備えることが好ましい。
【００１９】
上記構成によれば、選択されるファイルは上記画面の特定位置に表示されるため、ユーザは、どのファイルが表示されているかを容易に把握することができる。
【００２０】
また、本発明に係るファイル表示装置は、上記移動手段が上記フォルダおよび上記ファイルを上記第１方向に移動する際、当該移動の直前に上記選択手段により選択されていたファイルを記憶し、当該移動の後においても記憶している記憶手段をさらに備えることが好ましい。
【００２１】
上記構成によれば、誤操作等によってフォルダを移動してしまった場合でも、移動操作を１つ戻すだけで、前のフォルダで最後に選択していたコンテンツを簡単に選択することができる。
【００２２】
本発明に係るファイル表示方法は、複数のフォルダの各々に格納された少なくとも１つのファイルを画面上に表示するファイル表示装置のファイル表示方法であって、上記複数のフォルダのうち、規定の一定数以下のフォルダを、上記画面における任意の第１方向に並べて表示するフォルダ表示工程と、表示された上記フォルダ毎に、当該フォルダに格納された１つ以上のファイルのうち、規定の一定数以下のファイルを、上記画面上における上記２方向に直交する第２方向に並べて表示するファイル表示工程とを、含むことを特徴としている。
【００２３】
上記方法によれば、本発明に係る機器操作システムと同様の効果を奏する。
【００２４】
また、上記ファイル表示装置は、コンピュータによって実現してもよい。この場合、コンピュータを上記各手段として動作させることにより上記ファイル表示装置をコンピュータにおいて実現するファイル表示プログラム、およびそのファイル表示プログラムを記録したコンピュータ読み取り可能な記録媒体も、本発明の範疇に入る。
【発明の効果】
【００２５】
本発明に係るファイル表示装置は、複数のフォルダの各々に格納された少なくとも１つのファイルを画面上に表示するファイル表示装置であって、上記複数のフォルダのうち、規定の一定数以下のフォルダを、上記画面における任意の第１方向に並べて表示するフォルダ表示手段と、表示された上記フォルダ毎に、当該フォルダに格納された１つ以上のファイルのうち、規定の一定数以下のファイルを、上記画面上における上記２方向に直交する第２方向に並べて表示するファイル表示手段とを備えるため、ユーザの利便性を高めることができる。
【図面の簡単な説明】
【００２６】
【図１】本発明の一実施形態に係るコンテンツ再生装置の概要構成を示すブロック図である。
【図２】上記コンテンツ再生装置の要部構成を示すブロック図である。
【図３】画像ファイルを表示するコンテンツ表示画面の一例を示す図である。
【図４】フォルダ階層構造の一例を示す図である。
【図５】上記コンテンツ表示画面の他の一例を示す図である。
【図６】上記コンテンツ表示画面のさらに他の一例を示す図である。
【図７】フォルダ表示画面の一例を示す図である。
【図８】音楽ファイルを表示するコンテンツ表示画面の一例を示す図である。
【発明を実施するための形態】
【００２７】
本発明の一実施形態について図１から図６に基づいて説明すれば、以下のとおりである。
【００２８】
本実施形態に係るコンテンツ再生装置（ファイル表示装置）１００は、自装置内または自装置外の記憶装置に記憶されているコンテンツ（ファイル）をコンテンツ表示画面に表示し、当該コンテンツ表示画面に表示されたコンテンツの中からユーザに選択されたコンテンツがあれば、そのコンテンツを再生可能な装置である。
【００２９】
（コンテンツ表示装置１００の概略構成）
まず、本実施形態に係るコンテンツ再生装置１００における、コンテンツ再生のための概略構成について、図２を参照して以下に説明する。図２は、本実施形態のコンテンツ再生装置１００の概略構成を示すブロック図である。
【００３０】
図２に示すように、コンテンツ再生装置１００は、多様な各種媒体と接続可能な入力インターフェースを備えている。具体的には、コンテンツ再生装置１００は、外部記録媒体インターフェース部１０６、ネットワークインターフェース部１２４、無線通信インターフェース部１２５、および赤外線インターフェース部１２６を備えている。各種媒体としては、例えば、ＵＳＢメモリ、ＳＤカード、外付けＨＤＤ、およびＢＤ等の外部記録媒体１２７、有線ＬＡＮおよび同軸ケーブル等の有線通信媒体１２８、無線ＬＡＮ、ＢｌｕｅｔｏｏｔｈおよびＷｉＦｉ等の無線通信媒体１２９、ならびに、リモートコントローラ（リモコン）およびＩｒＳＳ等の赤外線通信媒体１３０が挙げられる。また、コンテンツ再生装置１００は、ＨＤＤ、Ｆｌａｓｈ、ＥＥＰＲＯＭ等の内部記憶媒体１２１を備えている。
【００３１】
コンテンツ再生装置１００は、上記各インターフェース部を介して、上記各種媒体から、当該媒体の記憶するコンテンツのデータを入手することができる。また、コンテンツ再生装置１００は、内部記憶媒体１２１に記録されたコンテンツがあれば、そのデータを利用することができる。なお、コンテンツ再生装置１００は、上述した入力インターフェースの少なくともいずれか１つを備えていることが望ましく、全てを備えていなくともよい。
【００３２】
本実施形態において、ユーザの操作は、本体とは別筐体のリモコン（赤外線通信媒体）１３０を用いて行うものとする。リモコン１３０がユーザの操作に応じて出力した制御信号を、赤外線インターフェース部１２６が赤外線によって受信する。なお、本発明は、これに限られず、ユーザの操作は、キーボードやマウス、キーパッド等を用いて行ってもよく、コンテンツ再生装置１００はこれらに応じたユーザインターフェースを備えていてもよい。
【００３３】
また、コンテンツ再生装置１００は、コンテンツ解析部１０７、ビデオデコード／キャプチャ部１０８、ビデオセレクタ部１０９、映像処理部１０４、映像出力変換部１１２、ＯＳＤ処理部１１０、オーディオデコード部１１１、オーディオセレクタ部１１３、オーディオ出力変換部１１４、表示装置１１５、およびスピーカ１１７を備えている。
【００３４】
コンテンツ解析部１０７は、入力インターフェースを介して入力されたコンテンツを解析し、抽出したデータをビデオデコード／キャプチャ部１０８、ＯＳＤ処理部１１０、および／またはオーディオデコード部１１１の各々に振り分けて出力する。
【００３５】
ビデオデコード/キャプチャ部１０８は、入力された映像データをデコードする。ビデオセレクタ部１０９は、必要に応じて、デコードされた映像信号の出力経路設定を行う。映像処理部１０４は、必要に応じて、デコードされた映像信号について映像の色あいや明るさ等の調整を行う。
【００３６】
ＯＳＤ処理部１１０は、ＯＳＤ（オンスクリーンディスプレイ）画像を、映像処理部１０４から出力される映像信号に重ね合わせる重畳処理を行うものである。また、後述するように、コンテンツ表示画面を構成する画面処理部１２を含んで構成される。
【００３７】
映像出力変換部１１２は、重畳処理された映像信号を、表示装置１１５で出力可能な信号形式に変換する。変換された映像信号は、例えば液晶ディスプレイ等の表示装置１１５上に表示される。
【００３８】
オーディオデコード部１１１は、入力された音声データをデコードする。オーディオセレクタ部１１３は、必要に応じて、デコードされた音声信号の出力経路設定を行う。オーディオ出力変換部１１４は、入力された音声信号を、スピーカ１１７で出力可能な信号形式に変換する。変換された音声信号はスピーカ１１７から音声出力される。
【００３９】
なお、コンテンツ再生装置１００は、必ずしも、表示装置１１５（映像表示手段）またはスピーカ１１７（音声出力手段）を内部に備えている必要は無い。すなわち、外部の表示装置またはスピーカを接続させて利用する形態の装置であってもよい。
【００４０】
また、コンテンツ再生装置１００では、ＣＰＵ（central processing unit）１２０が、図示しないＲＯＭ（read only memory）上のプログラムを順次読み出しながら、そのプログラムに従って、ＲＡＭ（random access memory）１１６上やバス上から必要な情報を受け取り、それらを用いて各機能ブロックを制御する。
【００４１】
なお、ここで説明している各機能ブロックは一例であり、コンテンツ再生装置１００は、上述した映像表示手段および音声出力手段のいずれか一方を備えるものであってもよい。また、コンテンツ再生装置１００は、チューナ等を有するＴＶやレコーダ、ＣＣＤなどを備えるデジタルカメラ、プロジェクタ、携帯電話、ｉＰｏｄ（登録商標）等の音楽プレーヤ、ＰＣ（Personal computer）として実現されてもよい。
【００４２】
（コンテンツ表示装置１００の要部構成）
次に、本発明に係るコンテンツ再生装置１００における、コンテンツ表示画面２００を表示するための要部構成について、図１を参照して説明する。図１は、コンテンツ再生装置１００の要部構成を示す機能ブロック図である。
【００４３】
図１に示すように、コンテンツ再生装置１００は、コンテンツ表示画面を表示するために、操作取得部１１と、画面処理部１２と、表示部１３とを有している。
【００４４】
操作取得部１１は、ユーザの操作を取得するためのものである。本実施形態では、上述したように、ユーザの操作はリモコン（赤外線通信媒体１３０）を用いて行われるとする。この場合、操作取得部１１は、図２に示す赤外線インターフェース部１２６によって実現される。
【００４５】
検出部（特定手段）１４は、詳細は後述するが、フォルダを「カテゴリわけを行うための１つのコンテンツ」として、検索条件に合うフォルダを解析、抽出する。本実施形態では、図２に示すコンテンツ解析部１０７に含まれて構成される。
【００４６】
画面処理部１２は、図３に示すようなコンテンツ表示画面を構成するとともに、コンテンツの閲覧等を行うための操作環境をユーザに提供する。画面処理部１２は、画面構成部（フォルダ表示手段、ファイル表示手段）１５、および画面制御部（選択手段、移動手段）１６を含んで構成される。各部材の詳細については後述する。本実施形態では、画面処理部１２は、図２に示すＯＳＤ処理部１１０に含まれて構成される。
【００４７】
表示部１３は、画面処理部１２によって構成されたコンテンツ表示画面を、表示装置１１５に表示させる。本実施形態では、表示部１３は、図２に示す映像出力変換部１１２によって実現される。
【００４８】
なお、コンテンツ表示画面において、フォルダは当該フォルダに対応する文字列やアイコンなどの対象指定要素によって表示され、また、コンテンツは当該コンテンツに対応するアイコン、サムネイルまたは文字列などの対象指定要素によって表示される。
【００４９】
本明細書において、「フォルダを表示する」および「ファイルを表示する」なる記載は、それぞれ他に断りがない限り、「フォルダの対象指定要素を表示する」および「ファイルの対象指定要素を指定する」という意味である。
【００５０】
表示の対象となるフォルダやコンテンツは、図２に示す各インターフェース部によって接続された各種媒体に記憶されていてもよいし、内部記憶媒体１２１に内蔵されていてもよい。例えば、ＵＳＢ（universal serial bus）や、ネットワークにより接続された外部サーバ等に記憶されていてもよい。
【００５１】
また、表示の対象となるフォルダやコンテンツは、選択した１つの媒体に記憶されていることに限られない。例えばＵＳＢと外部サーバのいずれかに格納されているコンテンツを区別せずシームレスに表示するというように、複数の媒体に記録されたものをまとめて表示してもよい。
【００５２】
（コンテンツ表示画面の構成処理の一例）
次に、図３を参照しながら、コンテンツ表示画面２０１を構成する処理の一例について説明する。
【００５３】
まず、本実施形態において、画面処理部１２は、構成するべきコンテンツ表示画面２０１を以下のように設定している。
【００５４】
第１に、コンテンツ表示画面２０１では、複数のフォルダが画面の横軸方向（第１方向）に並べて表示され、表示されたフォルダ毎に、当該フォルダが格納する少なくとも１つのコンテンツが、画面の縦軸方向（第２方向）に表示される。ここで、フォルダが表示される領域をフォルダ表示領域２１１とし、また、全てのコンテンツが表示される領域をコンテンツ表示領域２１２とする。
【００５５】
第２に、コンテンツ表示画面２０１において、フォルダ表示領域２１１に表示されるフォルダの数と、各コンテンツ表示領域２１２に表示されるコンテンツの数とは、それぞれ規定の一定数以下であるように設定されている。これによって、コンテンツ表示画面２０１に表示されるフォルダおよびコンテンツは、縦列および横列を形成するように整列して表示される。以下では、説明のために、フォルダ表示領域２１１に表示されるフォルダの数を５個以下とし、フォルダ毎に、コンテンツ表示領域２１２に表示されるコンテンツの数を３個以下とする。
【００５６】
第３に、コンテンツ表示画面２０１が表示される際、最初に選択されるコンテンツが、コンテンツ表示画面２０１上の特定位置に表示されるように設定されている。この特定位置を選択コンテンツ領域２１４とする。以下では、説明のために、選択コンテンツ領域２１４を、コンテンツ表示領域２１２において、左から２列目、上から１行目とする。
【００５７】
なお、あるコンテンツが選択されている状態は、当該コンテンツを格納しているフォルダが選択されている状態である。そこで、最初に選択されるフォルダが表示される領域を、選択フォルダ領域２１３とする。選択フォルダ領域２１３は、コンテンツ表示領域２１２に従って、フォルダ表示領域２１１における左から２列目となる。
【００５８】
続いて、コンテンツ表示画面２０１を構成する処理の流れについて説明する。
【００５９】
まず、操作取得部１１がユーザによる媒体選択情報を取得して、検出部１４に出力する（ステップＳ１）。
【００６０】
検出部１４は、選択された媒体に記憶された複数のフォルダＦｋを検出する（ステップＳ２）。このとき、検出部１４は、一定の基準を満たす複数のフォルダＦｋを検出することが好ましい。検出の基準としては、例えば、フォルダ直下にコンテンツを格納しているフォルダＦｋを設定することが好ましい。さらに、ＪＰＥＧ等の画像ファイルや、ＭＰ３等の音楽ファイルなど、特定の種類のファイルであることを基準にしてもよい。
【００６１】
画面処理部１２では、画面構成部１５が、検出部１４によって検出されたフォルダＦｋを、一定の基準に従って、Ｆ０、Ｆ１、Ｆ２、・・・Ｆｎの順に並べ換える（ステップＳ３）。並び替えの基準としては、例えば、フォルダ名のアルファベット順、五十音順、および作成日時順などが挙げられる。なお、この並び替え処理は必須ではなく、ユーザの要望等に応じて行えばよい。
【００６２】
次いで、画面構成部１５は、検出されたフォルダＦｋのうち、任意のフォルダを、選択フォルダ領域２１３に表示すべきフォルダＦｉとして決定する（ステップＳ４）。これによって、検出されたフォルダＦｋのうち、フォルダＦｉ−１、Ｆｉ、Ｆｉ＋１、Ｆｉ＋２、Ｆｉ＋３が最初に表示されることが決定される。なお、画面構成部１５は、任意のフォルダＦｋをフォルダＦｉとして決定する。
【００６３】
画面構成部１５は、表示が決定されたフォルダＦｉ−１、Ｆｉ、Ｆｉ＋１、Ｆｉ＋２、Ｆｉ＋３を、左から順にフォルダ表示領域２１１に配置する。
【００６４】
なお、ｉ＝０またはｎのように隣接するフォルダＦｋが存在しない場合には、存在しない部分のフォルダ表示領域を空白としてもよい。あるいは、Ｆ−１＝Ｆｎ、Ｆｎ＋１＝Ｆ１のように、順序を循環させてフォルダＦｋを表示してもよい。
【００６５】
また、検出部１４は、ステップＳ４において表示が決定されたフォルダＦｋ毎に、各フォルダが格納するコンテンツＣｋ，ｌを検出する（ステップＳ５）。このとき、上述したように、ステップＳ２において、一定の基準を満たす複数のフォルダＦｋを検出していれば、その基準に合うコンテンツＣｋ，ｌを検出する。例えば、ステップＳ２において、ＪＰＥＧファイルを格納しているフォルダＦｋを検出していれば、当該ＪＰＥＧファイルを検出する。
【００６６】
画面処理部１２では、画面構成部１５が、検出部１４によって検出されたコンテンツＣｋ，ｌを、フォルダＦｋ毎に、一定の基準に従ってＣｋ，１、Ｃｋ，２、・・・Ｃｋ，ｍの順に並べ換える（ステップＳ６）。並び替えの基準としては、例えば、コンテンツ名のアルファベット順、五十音順、および作成日時順などが挙げられる。なお、この並び替え処理は必須ではなく、ユーザの要望等に応じて行えばよい。
【００６７】
次いで、画面構成部１５は、フォルダＦｋ毎に、検出されたコンテンツＣｋ，ｌのうち、任意のコンテンツを、コンテンツ表示画面２０１において選択コンテンツ領域２１４と同じ列に表示されるコンテンツＣｋ，ｊとして決定する（ステップＳ７）。これによって、最初に表示されるコンテンツＣｋ，ｌは、Ｃｋ，ｊ、Ｃｋ，ｊ+１、Ｃｋ，ｊ＋２であることが決定される。したがって、画面構成部１５は、フォルダＦｋ毎に、表示が決定されたコンテンツＣｋ，ｊ、Ｃｋ，ｊ+１、Ｃｋ，ｊ＋２を、上から順にコンテンツ表示領域２１２に表示する。
【００６８】
なお、画面構成部１５は、選択中のコンテンツＣｉ，ｊ対し、現在選択中である旨が分かるような表示処理を施すことが好ましい。例えば、コンテンツＣｉ，ｊを、他のコンテンツよりも大きく表示したり、選択中であることを示す枠をつけたりする方法が挙げられる。図３では、選択中であることを示す枠が表示されている。
【００６９】
また、画面構成部１５は、図３に示すように、フォルダＦｉに格納されるコンテンツＣｉ，ｊ、Ｃｉ，ｊ+１、Ｃｉ，ｊ＋２を通常の明るさで表示し、他のコンテンツをグレーダウンさせることが好ましい。これによって、ユーザに、現在決定されているフォルダＦｉを分かりやすく表示することができる。
【００７０】
（コンテンツ表示画面の構成処理の具体例）
コンテンツ再生装置１００におけるコンテンツ表示画面を構成する処理について、具体例を用いて以下に説明する。なお、コンテンツ表示画面２０１の設定等については上述した説明と同様とする。
【００７１】
まず、ユーザが、リモコン１３０を操作して媒体を選択する。また、この際に、表示させたいコンテンツの種類を選択する。操作取得部１１がこれらの選択情報を取得して、検出部１４に出力する（ステップＳ１）。ここでは、対象媒体としてＵＳＢメモリ（外部記憶媒体）１２７が選択され、また、コンテンツの種類としてＪＰＥＧ画像ファイルが選択されたとする。
【００７２】
なお、ＵＳＢメモリ１２７内のフォルダは、例として、図４に示すような階層構造を構成している。図４に示すフォルダのうち、グレー色に反転されているフォルダが、直下にＪＰＥＧファイルを格納しているとする。
【００７３】
次いで、検出部１４は、ＵＳＢメモリ１２７内を検索し、フォルダ直下にＪＰＥＧ画像ファイルを格納するフォルダＦｋを検出する（ステップＳ２）。ここでは、「Japan」、「Utsunomiya」、「Yaita」、「Makuhari」、「Funabashi」、「Kameyama」、「Osaka」、「Hiroshima」、および「Fukuoka」の９つのフォルダＦｋが検出される。
【００７４】
画面処理部１２では、画面構成部１５が、検出部１４により検出されたフォルダＦｋを、フォルダ名のアルファベット順に従って並び替える（ステップＳ３）。これによって、フォルダＦｋは「Fukuoka」、「Funabashi」、「Hiroshima」、「Japan」、「Kameyama」、「Makuhari」、「Osaka」、「Utsunomiya」、および「Yaita」の順に並べられる。これらのフォルダをそれぞれＦ０、Ｆ１、Ｆ２、・・・Ｆ８とする。
【００７５】
次いで、画面構成部１５は、フォルダＦｋのうち、任意のフォルダを、選択フォルダ領域２１３に表示されるフォルダＦｉをとして決定する（ステップＳ４）。ここでは、ステップＳ３において並べられた並び順の４番目に位置するフォルダＦ３（「Japan」）を決定する。これによって、最初に表示されるフォルダＦｋは、フォルダＦ２〜Ｆ６（「Hiroshima」、「Japan」、「Kameyama」、「Makuhari」、および「Osaka」）であることが決定される。
【００７６】
画面構成部１５は、フォルダＦ２〜Ｆ６のフォルダ名とフォルダのアイコンを、左から順にフォルダ表示領域１２１に表示する。この際、画面構成部１５は、図３の右上に示すように、全体のフォルダ数や何番目のフォルダを表示しているか等を表示することが好ましい。
【００７７】
また、検出部１４は、ステップＳ４においてフォルダ領域に表示されるフォルダＦ２〜Ｆ６が決定された後、フォルダＦ２〜Ｆ６毎に、当該フォルダが直下に格納するＪＰＥＧ画像ファイルＣ２，ｌ〜Ｃ６，ｌを検出する（ステップＳ５）。
【００７８】
画面処理部１２では、画面構成部１５が、フォルダＦ２〜Ｆ６毎に、検出部１４により検出された画像ファイルＣ２，ｌ〜Ｃ６，ｌを、画像ファイル名のアルファベット順に並べ替える（ステップＳ６）。例えば、フォルダＦ３の直下に４つのＪＰＥＧ画像ファイルが格納されている場合、並び替えられたファイルをＣ３，０〜Ｃ３，３とする。
【００７９】
画面構成部１５は、フォルダＦ２〜Ｆ６毎に、並べられたファイルＣ２，ｌ〜Ｃ６，ｌのうち、任意のファイルを、選択コンテンツ領域２１４と同じ列（コンテンツ表示領域２１２における１列目）に表示されるファイルＣ２，ｊ〜Ｃ６，ｊとして決定する。これによって、最初に表示されるファイルが決定される。例えば、フォルダＦ３には、画像ファイルＣ３，０〜Ｃ３，３が対応して表示される。
【００８０】
画面構成部１５は、表示が決定されたフォルダＦｋ毎に、画像ファイルＣｋ，ｌを、上から順にコンテンツ表示領域２１２に表示する。
【００８１】
（コンテンツ表示画面２０１の設定の変形例）
コンテンツ表示画面２０１の設定は、上述した説明に限定されない。
【００８２】
例えば、複数のフォルダ、および、フォルダ毎に格納されるコンテンツを、画面の縦軸方向および横軸方向のいずれの方向に並べるかについては限定されない。例えば、コンテンツ表示画面２０１において、複数のフォルダを画面の縦軸方向に並べて表示し、表示されたフォルダ毎に、当該フォルダが格納するコンテンツを、画面の横軸方向に配置してもよい。
【００８３】
また、フォルダ表示領域２１１に表示されるフォルダの規定数と、各コンテンツ表示領域２１２に表示されるコンテンツの規定数については、上述した説明に限定されず、適宜設定可能である。また、この設定と共に、選択コンテンツ領域２１４および選択フォルダ領域２１３の位置についても、様々なバリエーションが設定できる。
【００８４】
なお、これらの設定については、画面処理部１２が、表示するコンテンツの種類や数等に基づいて決定してもよい。
【００８５】
（フォルダおよびコンテンツの移動）
上述のステップＳ２において、コンテンツ表示画面２０１に表示されるフォルダの規定数よりも多くのフォルダが検出されている場合、画面制御部１６は、検出された全てのフォルダが順に表示されるように、表示されるフォルダを移動して循環させてもよい。また、上述のステップＳ５において、フォルダ毎に、表示されるコンテンツの規定数よりも多くのコンテンツが検出されている場合も同様に、画面制御部１６は、検出された全てのコンテンツが順に表示されるように、表示されるコンテンツを移動して循環させてもよい。
【００８６】
また、ユーザによるコンテンツ選択中であることを示す枠が、コンテンツ表示画面２０１の特定領域に固定されている場合、画面制御部１６は、表示されるコンテンツ（またはコンテンツおよびフォルダ）を移動させて、コンテンツの選択を切り替える。
【００８７】
（フォルダおよびコンテンツの移動処理の一例）
以下では、フォルダおよびコンテンツを画面上で移動させる処理について説明する。なお、説明のために、コンテンツ表示画面２０１の設定等については上述した説明と同様であるとし、移動前のコンテンツ表示画面は図３に示す状態であるとする。また、画面制御部１６は、コンテンツ選択中であることを示す枠を選択コンテンツ領域２１４に固定しているとする。
【００８８】
まず、コンテンツ表示画面２０１が表示された状態において、操作取得部１１がユーザによるフォルダの移動指示を取得した場合について説明する。この場合、画面制御部１６は、各フォルダと、各フォルダに属して表示されているコンテンツを、画面上の横軸方向に１つ分移動させる。これによって、選択コンテンツ領域２１４に配置されるコンテンツ、すなわち選択中のコンテンツが、異なるフォルダ間で切り替えられる。
【００８９】
例えば、図３に示すコンテンツ表示画面２０１におけるフォルダおよびコンテンツの表示状態を以下の表１に表す。
【００９０】
【表１】
2011138381.tif 000003
【００９１】
ここで、操作取得部１１が左方向にフォルダを移動する旨の指示を取得した場合、画面制御部１６は、フォルダＦｉと、当該フォルダＦｉに属しているコンテンツＣｉ，ｊ、Ｃｉ，ｊ+１、Ｃｉ，ｊ＋２を左方向に１つ移動する。これにより、コンテンツ表示画面２０１は、表２に示す状態に更新される。
【００９２】
【表２】
2011138381.tif 000004
【００９３】
このとき、例えば、図３に示すコンテンツ表示画面２０１は、図５に示すコンテンツ表示画面２０２へと更新される。
【００９４】
上述したフォルダおよびコンテンツの移動では、移動前のフォルダにおいて最後に選択されたコンテンツＣｉ，ｊを表示したまま、移動を行うことができる。ここで、図２に示す内部記憶媒体１２１またはＲＡＭ１１６が、移動前のフォルダにおいて最後に選択されていたコンテンツ（ここではＣｉ，ｊ）を記憶していることが好ましい。これによって、誤操作等によってフォルダを移動してしまった場合でも、フォルダ操作を１つ戻すだけで、前のフォルダで最後に選択していたコンテンツを簡単に選択することができる。
【００９５】
次に、コンテンツ表示画面２０１が表示された状態において、操作取得部１１がユーザによるコンテンツの移動指示を取得した場合について説明する。この場合、画面制御部１６は、現時点で選択されているフォルダ内のコンテンツを、画面上の縦軸方向に１つ分移動させる。これによって、選択コンテンツ領域２１４に配置されるコンテンツ、すなわち選択中のコンテンツが、同じフォルダ内で切り替えられる。なお、この場合、現時点で決定されているフォルダ以外の他のフォルダに属するコンテンツの表示は、更新しなくともよい。
【００９６】
例えば、操作取得部１１が上方向にコンテンツを移動する旨の指示を取得した場合、画面制御部１６は、フォルダＦｉに属して表示されているコンテンツＣｉ，ｊ、Ｃｉ，ｊ+１、Ｃｉ，ｊ＋２を上方向に１つ移動する。これによって、フォルダＦｉに対応するコンテンツ表示領域２１２では、移動前には表３のように表示されていたコンテンツが、表４に示す状態に更新される。
【００９７】
【表３】
2011138381.tif 000005
【００９８】
【表４】
2011138381.tif 000006
【００９９】
このとき、図３に示すコンテンツ表示画面２０１は、図６に示すコンテンツ表示画面２０３へと更新される。
【０１００】
なお、移動の様子が分かるように、移動前と移動後の表示の間に移動中の表示を挿入し、アニメーション動作させてもよい。
【０１０１】
本実施形態では、リモコン１３０の左右キーと、フォルダおよびコンテンツの左右移動とを対応させ、また、リモコン１３０の上下キーと、コンテンツの上下移動とを対応させることができる。ユーザの操作方向と画面上の動きの方向とが一致するため、ユーザが直感的な操作を行いやすい。なお、操作装置がリモコン以外のキーボードやマウスポインタ等であっても、同様の効果を奏する。
【０１０２】
また、本実施形態では、コンテンツ表示画面２０１の基本構成が変更されることがなく、また特に選択中のコンテンツが常に特定位置に表示されるため、ユーザが任意のコンテンツを操作する際の操作性が向上する。
【０１０３】
（コンテンツ選択方法の他の例）
上述の説明では、コンテンツ表示画面２０１の特定領域（ここでは選択コンテンツ領域２１４）に表示されるコンテンツを選択する方法に基づいて説明しているが、本発明はこれに限られない。例えば、ユーザの操作に従って、選択対象を指定するカーソル等を画面上で移動させてもよい。
【０１０４】
（フォルダの選択）
本実施形態は、コンテンツの選択に限られず、フォルダ自体を選択決定できるように構
成されていてもよい。
【０１０５】
例えば、操作取得部１１がユーザによるフォルダ選択決定指示を受け取った場合、画面処理部１２は、図７に示すように、選択決定されたフォルダの詳細情報を表示するフォルダ画面２０４を表示してもよい。
【０１０６】
図７に示すフォルダ画面２０４には、７列×３行のコンテンツ表示領域に、ＪＰＥＧファイルのサムネイル画面が一度に表示されている。また、選択中のＪＰＥＧファイルについては、画面右側にプレビューおよび詳細情報が表示されている。図７に示すフォルダ画面２０４は、あくまで一例であり、プレビューや詳細情報を表示せず、サムネイル画面のみを表示してもよい。
【０１０７】
また、コンテンツ表示画面２０１と同様に、フォルダ画面２０４の画面上部にはフォルダ表示領域１２１を表示することが好ましい。これによって、ユーザは、図７のフォルダ画面２０４から図３のコンテンツ表示画面２０１に戻る際、戻った画面でどのフォルダが選択されているかを容易に想像できるため、操作性が向上する。
【０１０８】
（コンテンツ種類の変形例）
上述の説明において用いたＪＰＥＧ画像ファイルは、表示させるコンテンツの種類の一例に過ぎない。例えば、コンテンツとして、他に、音楽ファイルや、動画ファイル、テキストファイル、アーカイブファイル等の様々なファイルを表示することができる。
【０１０９】
例えば、表示させるコンテンツの種類が音楽ファイルである場合、サムネイルを表示しない代わりに、音楽ファイルのファイル名や曲名等を文字列によって表示してもよい。この場合に構成されるコンテンツ表示画面を図８に示す。
【０１１０】
（コンテンツ表示画面２０１における輝度の調節）
コンテンツ表示画面２０１では、フォルダ表示領域２１１と、選択されたコンテンツを含むコンテンツ表示領域２１２とが、他のコンテンツ表示領域２１２よりも明るく表示されることが好ましい。また、図３、図５〜図８は、説明上、画面のバックグラウンド等の非使用領域を白抜きして示しているが、実際には輝度を落として暗く表示することが好ましい。これにより省エネを実現できる。なお、表示装置１１５がＬＥＤ等のエリアアクティブバックライトを備える場合には、この輝度を制御することで、表示の明るさを制御することができる。
【０１１１】
（その他構成）
なお、上記の実施形態では、本発明を、コンテンツを再生するためのコンテンツ再生装置に適用した例を説明しているが、本発明は、コンテンツ表示画面を表示する装置であれば、これに限定されない。例えば、コンテンツ表示画面を表示して、ユーザに閲覧させたり、コンテンツの再生、名称変更、コピー、移動、または削除等の操作を実行したりする装置であってもよい。
【０１１２】
また、上述の説明では、コンテンツ表示画面を２次元表示の画面として説明しているが、３次元表示の画面とすることも可能である。例えば、上記の実施形態における２軸に加え、コンテンツの日時やメディア種別を３つめの軸に表示してもよい。
【０１１３】
また、本発明は、フォルダおよびコンテンツ（ファイル）の新たな表示形式を提供するものであるが、従来のフォルダ表示形式と並存させ、ユーザが自由に切り替えられるように構成されてもよい。例えば、複数種類のファイルを同時に閲覧する場合や、フォルダ構造の整理する場合などには、従来形式のフォルダ表示形式を利用し、特定種類のファイルの検索および閲覧の際には、本発明に係るファイル表示形式を利用するなどの切り替え方法が挙げられる。さらに、当該切り替えの際、現在選択しているフォルダまたはファイルを切り替え後も選択しているように構成すれば、本発明のフォルダ表示形式を利用して目的のファイルを素早く検索した後、従来形式のフォルダ表示形式を利用してフォルダ操作を行う方法が可能である。
【０１１４】
（付記事項）
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１１５】
最後に、コンテンツ再生装置１００に含まれている各ブロックは、ハードウェアロジックによって構成してもよい。または、次のように、ＣＰＵを用いてソフトウェアによって実現してもよい。
【０１１６】
すなわち、コンテンツ再生装置１００は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるコンテンツ再生装置１００の制御プログラムのプログラムコード（実行形式プログラム、中間コードプログラム、ソースプログラム）をコンピュータで読み取り可能に記録した記録媒体を、コンテンツ再生装置１００に供給し、そのコンピュータ（またはＣＰＵやＭＰＵ）が記録媒体に記録されているプログラムコードを読み出し実行することによっても、達成可能である。
【０１１７】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１１８】
また、コンテンツ再生装置１００を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１１９】
本発明は、複数のファイルの各々に格納された少なくとも１つのファイルを表示するファイル表示装置に利用することができる。
【符号の説明】
【０１２０】
１１  操作取得部
１２  画面処理部
１３  表示部
１４  検出部（特定手段）
１５  画面構成部（フォルダ表示手段、ファイル表示手段）
１６  画面制御部（選択手段、移動手段）
１１６  ＲＡＭ（記憶手段）
１２１  内部記憶媒体（記憶手段）
１００  コンテンツ再生装置（ファイル表示装置）
【図１】
2011138381.tif 000007
【図２】
2011138381.tif 000008
【図３】
2011138381.tif 000009
【図４】
2011138381.tif 000010
【図５】
2011138381.tif 000011
【図６】
2011138381.tif 000012
【図７】
2011138381.tif 000013
【図８】
2011138381.tif 000014